(57)【要約】【課題】  電力量計の劣化に関する情報を、外部に報知することができる電力量計を提供する。【解決手段】需要家の使用電力を検出する電力検出手段と、需要家の使用電圧を検出する電圧検出手段１０５、または需要家の使用電流を検出する電流検出手段１０４と、需要家の使用電圧または使用電流が、予め設定された閾値を超えたかの判断を行う判断手段とを具備し、前記判断手段により、需要家の使用電圧または使用電流が、予め設定された閾値を超えたと判断された場合に、使用電圧または使用電流が過大である旨を示す警報、当該過大電圧または電流の値、当該過大電圧または電流が検出された回数を外部に報知することとした。【選択図】  図１
2011080891.tif 000002
【特許請求の範囲】
【請求項１】
需要家の使用電力を検出する電力検出手段と、
需要家の使用電圧を検出する電圧検出手段と、
前記検出手段により検出された需要家の使用電圧が、予め設定された閾値を超えたかの判
断を行う電圧判断手段と、
前記電圧判断手段により、需要家の使用電圧が、前記閾値を超えたと判断された場合に、
使用電圧が過大である旨を示す警報、前記電圧検出手段により検出された使用電圧、前記
電圧判断手段により需要家の使用電圧が前記閾値を超えたと判断された回数のうち少なく
とも一つ以上を報知する報知手段と
を具備したことを特徴とする電力量計。
【請求項２】
前記電圧判断手段により、需要家の使用電圧が前記閾値を超えたと判断された日時を計時
するタイマ手段と、
前記タイマ手段により計時された時刻を報知する報知手段と
を具備したことを特徴とする請求項１記載の電力量計。
【請求項３】
需要家の使用電力を検出する電力検出手段と、
需要家の使用電流を検出する電流検出手段と、
前記検出手段により検出された需要家の使用電流が、予め設定された閾値を超えたかの判
断を行う電流判断手段と、
前記電流判断手段により、需要家の使用電流が、前記閾値を超えたと判断された場合に、
使用電流が過大である旨を示す警報、前記電流検出手段により検出された使用電流、前記
電流判断手段により需要家の使用電流が前記閾値を超えたと判断された回数のうち少なく
とも一つ以上を報知する報知手段と
を具備したことを特徴とする電力量計。
【請求項４】
前記電流判断手段により、需要家の使用電流が前記閾値を超えたと判断された日時を計時
するタイマ手段と、
前記タイマ手段により計時された時刻を報知する報知手段と
を具備したことを特徴とする請求項３記載の電力量計。
【請求項５】
前記報知手段は、表示手段、通信手段のうち少なくとも一つ以上であることを特徴とする
請求項１乃至４のいずれか１項記載の電力量計。
【発明の詳細な説明】
【技術分野】
【０００１】
本発明は被測定系の使用電力量等を測定する電力量計に関する。
【背景技術】
【０００２】
従来より、一般家庭や工場、事業所の使用電力量を測定する電力量計が普及してきてい
る。当該電力量計は被測定系の使用電力量を測定する使用量検出手段と、使用量検出手段
で検出したデータを計量値に編集する制御部と、制御部にて編集された計量値を表示する
表示部とを具備している。（例えば特許文献１）
【先行技術文献】
【特許文献】
【０００３】
【特許文献１】特開２００４−２２６０９４公報（第１０頁、図２）
【発明の概要】
【発明が解決しようとする課題】
【０００４】
一般的に電力量計は、被測定系の使用電力量を測定する使用量検出手段と、使用量検出手
段にて測定された使用量をデータに編集する制御部と、制御部にて編集されたデータを表
示する表示部とを具備している。当該電力量計は過電圧・過電流が印加されることにより
劣化し、正常に計量動作を行わなくなる可能性がある。従って劣化した電力量計は、交換
または修理が必要とされる。しかしながら、外観から電力量計の劣化度合いを判断するこ
とは困難であった。
【０００５】
本発明は前記問題点に鑑み、電力量計の劣化に関する情報を、外部に報知することがで
きる電力量計を提供することを目的とする。
【課題を解決するための手段】
【０００６】
上記目的を達成するために、本発明による電力量計は、需要家の使用電力を検出する電力
検出手段と、需要家の使用電圧を検出する電圧検出手段と、前記検出手段により検出され
た需要家の使用電圧が、予め設定された閾値を超えたかの判断を行う電圧判断手段と、前
記電圧判断手段により、需要家の使用電圧が、予め設定された閾値を超えたと判断された
場合に、使用電圧が過大である旨を示す警報、前記電圧検出手段により検出された使用電
圧、前記電圧判断手段により需要家の使用電圧が予め設定された閾値を超えたと判断され
た回数のうち少なくとも一つ以上を報知する報知手段とを具備したことを特徴とする。
【発明の効果】
【０００７】
本発明によれば、電力量計の劣化に関する情報を、外部に報知することができる電力量
計を提供することができる。
【図面の簡単な説明】
【０００８】
【図１】本発明による電力量計の実施例１の構成を示す内部構成図
【発明を実施するための形態】
【０００９】
以下、本発明の実施例を説明する。
【実施例１】
【００１０】
本発明による電力量計の実施例１につき、図１を参照して説明する。図１は本発明によ
る電力量計の実施例１の内部構造を示すブロック図である。なお、本実施例は単相二線式
の電力量計について示されているが、単相３線式、三相３線式等異なる相線式の電力量計
にも同様に適用可能である。
図１において、１００は電力量計本体である。
【００１１】
１０１Ａ、１０１Ｂは端子部で、真鋳や銅等の導電性のある金属からなる導電部分が、フ
ェノール樹脂やＰＢＴ樹脂等、絶縁性の高いプラスチック等の材質からなる固定部分に配
置された構成からなり、外部の配電線に接続される。端子部１０１Ａの１Ｓ、２Ｓ各端子
は電力供給会社から電力を受電する電源側配電線に、端子部１０１Ｂの１Ｌ、２Ｌ各端子
は需要家内へ電力を供給する負荷側配電線に接続される。
【００１２】
１０２、１０３は導電部で、銅等の導電性の有る金属材料により構成されており、導電部
１０２は端子部１０１Ａの１Ｓと端子部１０１Ｂの１Ｌの間を、導電部１０３は端子部１
０１Ａの２Ｓと端子部１０１Ｂの２Ｌの間を、電気的に導通させる。
【００１３】
１０４は電流検出部で、電流トランス等により構成されており、導電部１０２に取り付け
られ、端子部１０１Ａの１Ｓと端子部１０１Ｂの１Ｌ間の電流（Ａ１）を検出し、需要家
の使用電流に対応した低レベルの電気信号に変換し出力する。
【００１４】
１０５は電圧検出部で、アテネッタ等の分圧抵抗器や電圧トランス等により構成されてお
り、端子部１０１Ａの１Ｓと２Ｓ間の電圧（Ｖ１）を検出し需要家の使用電圧に正比例し
た低レベルの電気信号に変換し出力する。
【００１５】
１０６は符号化部で、アナログ−デジタル変換器等により構成されており、電流検出部１
０４から出力された端子１Ｓ−１Ｌ間の、需要家の使用電流（Ａ１）に対応した低レベル
の電気信号をアナログ−デジタル変換し、例えば１６ｂｉｔのデジタルデータとして出力
する。
【００１６】
１０７は符号化部で、アナログ−デジタル変換器等により構成されており、電圧検出部１
０５から出力された端子１Ｓ−２Ｓ間の需要家の使用電圧（Ｖ１）に正比例した低レベル
の電気信号をアナログ−デジタル変換し、例えば１６ｂｉｔのデジタルデータとして出力
する。
【００１７】
１０８は乗算部で、デジタル乗算回路やＤＳＰ（デジタル・シグナル・プロセッサ）等に
より構成されており、符号化部１０６により出力された電流（Ａ１）に関するデジタルデ
ータと、符号化部１０７により出力された電圧（Ｖ１)に関するデジタルデータとを乗算
し、需要家の使用有効電力に関するデジタルデータに変換し出力する。
【００１８】
１２０はタイマ部で、水晶発振回路を有する計数回路等により構成されており、時刻を計
数する。
【００１９】
１２１は記憶部でＲＡＭのような半導体メモリにより構成されており、後述する制御部１
２４により指示されたデータ等を記憶する。
【００２０】
１２２は表示部で液晶表示器等により構成されており、後述する制御部１２４より指示さ
れたデータ等を表示する。
【００２１】
１２３は通信部で、電波送受信回路やカレントループ等のインタフェース回路等により構
成されており、後述する制御部１２４に制御されデータ通信を行う。
【００２２】
１２４は制御部で、マイクロコンピュータ等により構成されており、乗算部１０８から出
力された需要家の使用有効電力に関するデジタルデータを演算し、需要家の使用有効電力
を算出し、さらに有効電力使用量データとして編集し、当該有効電力使用量データを記憶
部１２１へ記憶させ、表示部１２２に表示させ、通信部１２３を介し外部機器（図中不示
）との通信を行うよう各部を制御する。ここで有効電力使用量データとは被測定系の総積
算有効電力量ならびに各時間帯毎の時間帯有効電力量等、需要家の使用有効電力に関する
データをいう。なお、各時間帯毎の時間帯有効電力量はタイマ部１２０からの時刻データ
に基づき作成される。
【００２３】
さらに制御部１２４は、電流検出部１０４にて検出された需要家の使用電流（Ａ１）に対
応した、符号化部１０６から出力されたデジタルデータが、予め設定された電流閾値以上
であるかの比較を行い、当該デジタルデータが当該電流閾値以上である場合は、需要家の
使用電流（Ａ１）が過大であると判断し、当該電流閾値以上の電流の電流値、発生した日
時、ならびに累積発生回数を、記憶部１２１へ記憶させ、表示部１２２に表示させ、通信
部１２３を介し外部機器（図中不示）との通信を行うよう各部を制御する。前述の電流閾
値は、電力量計本体１００が需要家へ取り付けられる際に、ハンディターミナル等の外部
機器（図中不示）から通信部１２３を介し設定されるものとする。
【００２４】
制御部１２４は、電圧検出部１０５にて検出された需要家の使用電圧（Ｖ１）に対応した
、符号化部１０７から出力されたデジタルデータが、予め設定された電圧閾値以上である
かの比較を行い、当該デジタルデータが当該電圧閾値以上である場合は、需要家の使用電
圧（Ｖ１）が過大であると判断し、当該電圧閾値以上の電圧の電圧値、発生した日時、な
らびに累積発生回数を、記憶部１２１へ記憶させ、表示部１２２に表示させ、通信部１２
３を介し外部機器（図中不示）との通信を行うよう各部を制御する。前述の電圧閾値は、
電力量計本体１００が需要家へ取り付けられる際に、ハンディターミナル等の外部機器（
図中不示）から通信部１２３を介し設定されるものとする。
【００２５】
次に、本実施例の動作について図１を参照しつつ説明する。
【００２６】
電流検出部１０４は、端子部１０１Ａの１Ｓと端子部１０１Ｂの１Ｌ間の電流（Ａ１）を
検出し、需要家の使用電流（Ａ１）に対応した低レベルの電気信号に変換し出力する。
【００２７】
電圧検出部１０５は、端子部１０１Ａの１Ｓ−２Ｓ端子間に現れる電圧（Ｖ１）を検出し
、需要家の使用電圧に正比例した低レベルの電気信号に変換し出力する。
【００２８】
符号化部１０６は、電流検出部１０４により出力された需要家の使用電流（Ａ１）に対応
した低レベルの電気信号をアナログ−デジタル変換し、例えば１６ｂｉｔのデジタルデー
タとして出力している。
【００２９】
符号化部１０７は、電圧検出部１０５により出力された需要家の使用電圧（Ｖ１）に正比
例した低レベルの電気信号をアナログ−デジタル変換し、例えば１６ｂｉｔのデジタルデ
ータとして出力している。
【００３０】
乗算部１０８は、符号化部１０６により出力された需要家の使用電流（Ａ１）に対応した
デジタルデータと、符号化部１０７により出力された需要家の使用電圧（Ｖ１)に対応し
たデジタルデータとを乗算し、需要家の使用有効電力に関するデジタルデータとして制御
部１２４に対し出力する。
【００３１】
タイマ部１２０は万年カレンダを有しており、日時データ及び１秒間隔ごと等の一定時間
を示す信号を制御部１２４に対し出力している。
【００３２】
制御部１２４は、タイマ部１２０から出力された１秒間隔ごと等の信号に基づき、乗算部
１０８から出力された信号の当該１秒間の平均値を求め、有効電力を算出する。
【００３３】
制御部１２４は、算出された有効電力をもとに有効電力使用量データを編集し、記憶、表
示するよう各部を制御する。なお、ここで有効電力使用量データとは被測定系の総積算有
効電力量ならびに各時間帯毎の時間帯有効電力量等、需要家の使用有効電力に関するデー
タをいう。
【００３４】
当該時間帯有効電力量は、タイマ部１２０から出力された日時データに基づき、制御部１
２４にて作成される。
【００３５】
制御部１２４は、電流検出部１０４にて検出された需要家の使用電流（Ａ１）に対応した
、符号化部１０６から出力されたデジタルデータが、予め設定された電流閾値以上である
かの比較を行い、当該デジタルデータが当該電流閾値以上である場合は、需要家の使用電
流（Ａ１）が過大であると判断し、当該電流閾値以上の電流の電流値、発生した日時、な
らびに過電流累積発生回数を、記憶部１２１へ記憶させ、表示部１２２に表示させ、通信
部１２３を介し外部機器（図中不示）との通信を行うよう各部を制御する。過電流累積発
生回数とは電力量計本体１００が需要家に設置されてから、電流検出部１０４にて検出さ
れた需要家の使用電流（Ａ１）に対応した、符号化部１０６から出力されたデジタルデー
タが、予め設定された電流閾値以上となった回数、つまり電力量計本体１００に過大電流
が印加された総積算回数を意味する。
【００３６】
制御部１２４は、電圧検出部１０５にて検出された需要家の使用電圧（Ｖ１）に対応した
、符号化部１０７から出力されたデジタルデータが、予め設定された電圧閾値以上である
かの比較を行い、当該デジタルデータが当該電圧閾値以上である場合は、需要家の使用電
圧（Ｖ１）が過大であると判断し、当該電圧閾値以上の電圧の電圧値、発生した日時、な
らびに過電圧累積発生回数を、記憶部１２１へ記憶させ、表示部１２２に表示させ、通信
部１２３を介し外部機器（図中不示）との通信を行うよう各部を制御する。過電圧累積発
生回数とは電力量計本体１００が需要家に設置されてから、電圧検出部１０５にて検出さ
れた需要家の使用電圧（Ｖ１）に対応した、符号化部１０７から出力されたデジタルデー
タが、予め設定された電圧閾値以上となった回数、つまり電力量計本体１００に過大電圧
が印加された総積算回数を意味する。
【００３７】
電流検出部１０４にて検出された需要家の使用電流（Ａ１）に対応した、符号化部１０６
から出力されたデジタルデータが、予め設定された電流閾値以上である場合、または、電
圧検出部１０５にて検出された需要家の使用電圧（Ｖ１）に対応した、符号化部１０７か
ら出力されたデジタルデータが、予め設定された電圧閾値以上である場合、制御部１２４
は、電力量計本体１００内部の各部が正常か異常かの自己診断を行う。電力量計本体１０
０内部の各部が異常であると判断された場合は、当該故障箇所を示すコードが記憶部１２
１に記憶され、表示部１２２に表示され、通信部１２３を介し外部機器（図中不示）に伝
送される。制御部１２４により行われる自己診断とは具体的には、記憶部１２１の記憶内
容の確認や、電源電圧の確認等である。
【００３８】
本実施例によれば、電力量計の劣化に関する情報を、外部に報知することができる電力量
計を提供することができる。
【００３９】
本実施例を用いれば、電力量計本体１００に印加された過電流、過電圧にかかる情報が
、表示・通信等により報知されるので、電力量計本体１００の劣化を予測しやすく、電力
量計本体１００を適正な時期に交換することができる。また、電力量計本体１００に印加
された過電流、過電圧にかかる情報が、記憶部１２１に記憶されているので、過電圧・過
電流により屋内の家電品や配線が破損した場合に、その原因究明に役立てることができる
。
【００４０】
以上のように本発明を用いれば、電力量計の劣化に関する情報を、外部に報知すること
ができる電力量計を提供することができる。
【符号の説明】
【００４１】
１００    電力量計本体
１０１Ａ、１０１Ｂ    端子部
１０２    導電部
１０３    導電部
１０４    電流検出部
１０５    電圧検出部
１０６    符号化部
１０７    符号化部
１０８    乗算部
１２０    タイマ部
１２１    記憶部
１２２    表示部
１２３    通信部
１２４    制御部
【図１】
2011080891.tif 000003